(57)【要約】      （修正有）【課題】マラソン大会等において、競技者がゴールしたときの動画像を、競技者に付与されたゼッケン番号を検索キーとして、ゴールした時の動画像をネットワーク上のパソコンやインターネットから再生表示できる特定動画配信システムを提供する。【解決手段】ビデオカメラ等の映像撮影手段で競技者がゴール地点を通過したときの動画像を取得保存したものと、現在では一般化された計測システムである無線ＩＤタグ等により計測された時刻とで、競技者がゴールしたときの設定した時間長さの動画像を抽出し映像として再生表示する。また、ゴールだけで無く特定の地点においても撮影された映像と無線ＩＤタグ等により計測された時刻とで設定した時間長さの動画像を抽出し映像として再生表示する。【選択図】図１
0003146925.tif 000002
【実用新案登録請求の範囲】
【請求項１】
競技者に付与されたゼッケン番号をキーとして、ビデオカメラ等の映像撮影手段で競技者がゴール地点を通過したときの動画像から、現在では一般化された計測システムである無線ＩＤタグ等により計測された時刻で、撮影された動画から付与されたゼッケンに該当する動画を設定した時間長さで切り取って再生できる様にし、ネットワーク上のパソコンやインターネット上から、切り取った画像を再生できる様にする。
【考案の詳細な説明】
【技術分野】
【０００１】  本考案は、例えばマラソン大会等のように、複数の競技者が参加する競技会等において参加者の映像を記録し、特定の参加者のゴールシーンを再生できるようにしたシステムである。
【背景技術】
【０００２】  マラソン大会などのような複数の競技者がゴールへ到着する競技においては、ゴールゲートに設けた映像記録装置で競技者全員のゴールシーンを記録し、手動作業により特定の映像を再生している。あるいは、完走者全員のゴール到着時の写真を印刷するものもある。
【考案の開示】
【考案が解決しようとする課題】
【０００３】  上記のように、マラソン大会などの競技会の場合、ゴールした競技者の到着タイムと着順を記録したり、ゴール状況をビデオカメラで画像を記録している。しかし、従来のものは撮影記録された競技者のゴールシーンから競技者に付与されたゼッケン番号をキーとして検索し特定の競技者の画像を再生表示することが出来ていない。
【課題を解決するための手段】
【０００４】図１に本考案の概要を示す。本考案は、図１に示すように動画像を取得した画像データと、競技者が所持する無線ＩＤタグ等により取得する通過時間データとを、コンピュータのプログラムで撮影された動画の中から競技者のゴールシーンを設定した時間長さで切り取って抽出しサーバーに保管しておく。その保管された画像データの中からネットワーク上の再生装置もしくわインターネット上の再生装置から、ゼッケンを検索キーとして動画の配信を受ける。
【考案の効果】
【０００５】  以上説明したように、本考案によりマラソン大会などの競技会において、ゴールを通過したときの動画像を、競技者に付与されたゼッケンをキーとして動画像を抽出再生表示できるので、参加した競技者は自分のゴールシーンをパソコンや携帯電で見ることができるし、競技場に来られない家族や知人もパソコンや携帯電で見ることができる。
【考案を実施するための最良の形態】
【０００６】図１は本考案の実施例である。参加者全員が無線ＩＣタグ等によりゴール通過時の時間データが取れ、参加者全員のゴール映像が取れていれば、本考案は参加者個人個人のゴール画像を特定して再生できる。
【実施例】
【０００７】  以上説明したように、本考案によりマラソン大会などの競技会において、ゴールを通過したときの動画像を、競技者に付与されたゼッケンをキーとして動画像を抽出再生表示できるので、参加した競技者は自分のゴールシーンをパソコンや携帯電で見ることができるし、競技場に来られない家族や知人もパソコンや携帯電で見ることができる。さらにマラソン大会だけではなく、多数の競技者が参加する距離スキー等の各種の競技にも同様に適用することができる。
【図１】
0003146925.tif 000003
【手続補正書】
【提出日】平成20年1月5日(2008.1.5)
【手続補正１】
【補正対象書類名】実用新案登録請求の範囲
【補正対象項目名】全文
【補正方法】変更
【補正の内容】
【実用新案登録請求の範囲】
【請求項１】
マラソンの競技者がゴール地点を通過するシーンをビデオカメラやデジタルカメラで連続して撮影した動画と、現在では一般化された計測システムである無線チップを利用して計測されたマラソン競技者がゴール地点を通過した通過時刻を使い、連続して撮影されている動画の中から、その競技者がゴールする動画が撮影されている場所を、それぞれに定めた基準時間から計算して特定し、その撮影されている部分を必要な時間だけ取り出せるようにする。
【手続補正２】
【補正対象書類名】明細書
【補正対象項目名】全文
【補正方法】変更
【補正の内容】
【考案の詳細な説明】
【技術分野】
【０００１】  本考案は、マラソン大会の様に複数の競技者が参加する競技会等において、特定の参加者のゴールシーンを再生出来るようにするものである。
【背景技術】
【０００２】  マラソン大会のような複数の競技者がゴールへ到着する競技においては、ゴールゲートに設けた映像記録装置で競技者全員のゴールシーンを記録し、手動作業により特定の映像を再生したり、あるいは全員のゴール到着時の写真を撮影し印刷したりしている。
【考案の開示】
【考案が解決しようとする課題】
【０００３】  マラソン大会の競技会の場合、ゴール状況をビデオカメラやデジタルカメラで撮影記録しているが、従来のものは撮影記録された複数の競技者のゴールシーンから、容易に特定の競技者の撮影されている部分を必要な時間だけ取り出し動画を再生することが出来なかった。
【課題を解決するための手段】
【０００４】  本考案は、図１に示すように連続して撮影した動画と、競技者が所持する無線チップにより取得する通過時間データを使い、撮影された動画の最初の時間と競技者が所持する無線チップにより取得した通過時間データから計算をして、連続して撮影された複数の競技者が撮影されている動画の中から特定の競技者のゴールシーンを、必要な時間だけ取り出せる様にした。
【考案の効果】
【０００５】  以上説明したように、本考案によりマラソン大会の競技会において、特定の競技者がゴールを通過したときの動画を、連続して撮影された複数の競技者が撮影されている動画の中から、必要な時間だけ取り出せる様にした事で、その画像データの中から競技者が所持する無線チップにより取得する通過時間データと共に取得するゼッケン番号を使いネットワーク上の再生装置もしくわインターネット上の再生装置から、ゼッケン番号を検索キーとして動画の抽出と映像として再生表示する事が出来る様になる。また、ゴールだけで無く特定の地点においても撮影された映像と無線チップにより計測された時刻とで設定した時間長さの動画像を抽出し映像として再生表示する事も出来る。
結果として競技者は、競技者に付与されたゼッケンをキーとして動画を抽出再生表示できるので、参加した競技者は自分のゴールシーンをパソコンや携帯電で見ることができるし、競技場に来られない家族や知人もパソコンや携帯電で見ることができる。
【考案を実施するための最良の形態】
【０００６】  図１は本考案の実施例である。参加者全員のゴール通過時の時間データを所持した無線チップにより取得し、参加者全員のゴール動画が撮影されていれば、本考案は参加者個人個人全員のゴール動画を必要な時間だけ取り出し再生できる。
【実施例】
【０００７】  以上説明したように、本考案によりマラソン大会の競技会において、ゴールを通過したときの動画を、競技者に付与されたゼッケンをキーとして動画を抽出再生表示できるので、参加した競技者は自分のゴールシーンをパソコンや携帯電で見ることができるし、競技場に来られない家族や知人もパソコンや携帯電で見ることができる。さらにマラソン大会だけではなく、多数の競技者が参加する距離スキー等の各種の競技にも同様に適用することができるし、ゴールだけで無く通過時間が記録されその動画があれば、どの地点でも画像を必要な時間だけ取り出し再生できる。
【図面の簡単な説明】
【０００８】
【図１】はこのシステムとそれを運用する全体図である
【符号の説明】
【０００９】▲１▼  無線チップを所持する競技者
▲２▼  ゴール地点で無線チップからチップデータを受信
▲３▼  ゴール状況をカメラで撮影
▲４▼  撮影された動画と通過時間データとで特定の競技者の動画を計算して取り出す装置
▲５▼  取り出した動画を競技者のゼッケンをキーとして保管する装置
▲６▼  撮影された動画と通過時間データとで特定の競技者の動画を計算して取り出す補助装置
▲７▼  インターネットからゼッケンをキーとしての配信装置
▲８▼  インターネットから要求する携帯電話
▲９▼  インターネットから要求するパソコン
【手続補正３】
【補正対象書類名】図面
【補正対象項目名】全図
【補正方法】変更
【補正の内容】
【図１】
0003146925.tif 000004
【手続補正書】
【提出日】平成20年5月3日(2008.5.3)
【手続補正１】
【補正対象書類名】実用新案登録請求の範囲
【補正対象項目名】全文
【補正方法】変更
【補正の内容】
【実用新案登録請求の範囲】
【請求項１】
マラソンの競技者が、ゴール地点を通過するシーンをビデオカメラやデジタルカメラで複数の競技者を連続して撮影した動画から、特定の競技者が通過する動画が撮影されている場所を特定し、その撮影されている部分を必要な部分だけ取り出し参加者個別の動画とする。
【手続補正２】
【補正対象書類名】明細書
【補正対象項目名】全文
【補正方法】変更
【補正の内容】
【考案の詳細な説明】
【技術分野】
【０００１】  本考案は、マラソン大会の様に複数の競技者が参加する競技会等において、参加者個別のゴールシーンを特定し再生表示するものである。
【背景技術】
【０００２】  マラソン大会のような複数の競技者がゴールへ到着する競技においては、ゴールゲートに設けた映像記録装置で競技者全員のゴールシーンを記録したり、あるいは全員のゴール到着時の写真を撮影し印刷したりしている。
【考案の開示】
【考案が解決しようとする課題】
【０００３】  マラソン大会の競技会の場合、全員のゴール状況をビデオカメラやデジタルカメラで撮影記録しているが、従来のものは撮影記録された複数の競技者のゴールシーンであり、特定の競技者の撮影されている部分を必要な部分だけ取り出し参加者個別の動画に成っていなかった。
【課題を解決するための手段】
【０００４】  本考案は、図１に示すように連続して撮影した動画と、競技者が所持する無線チップにより取得する通過時間データを使い、撮影された動画の最初の時間と競技者が所持する無線チップにより取得した通過時間データから計算をして、連続して撮影された複数の競技者が撮影されている動画の中から特定の競技者のゴールシーンを、必要な部分だけ取り出し参加者個別の動画とする事で解決した。
【考案の効果】
【０００５】  以上説明したように、本考案によりマラソン大会の競技会において、特定の競技者がゴールを通過したときの動画を、連続して撮影された複数の競技者が撮影されている動画の中から、参加者個別の動画を取り出す事で、その取り出した参加者全員の動画の中から、競技者が所持する無線チップにより取得する通過時間データと共に取得するゼッケン番号を使いネットワーク上の再生装置もしくわインターネット上の再生装置から、ゼッケン番号もしくわ氏名を検索キーとして参加者個別の動画を再生表示する事が出来る様になる。また、ゴールだけで無く特定の地点においても同じように再生表示する事も出来る。
結果として競技者は、競技者に付与されたゼッケンもしくわ氏名をキーとして動画を抽出再生表示できるので、参加した競技者は自分のゴールシーンをパソコンや携帯電で見ることができるし、競技場に来られない家族や知人もパソコンや携帯電で見ることができる。
【考案を実施するための最良の形態】
【０００６】図１は本考案の実施例である。参加者全員のゴール通過時の時間データを所持した無線チップにより取得し、参加者全員のゴール動画が撮影されていれば、本考案は参加者個人個人全員のゴールシーン動画を再生できる。
【実施例】
【０００７】  以上説明したように、本考案によりマラソン大会の競技会において、ゴールを通過したときの動画を、競技者に付与されたゼッケンもしくわ氏名をキーとして参加者個別の動画を再生表示できるので、参加した競技者は自分のゴールシーンをパソコンや携帯電で見ることができるし、競技場に来られない家族や知人もパソコンや携帯電で見ることができる。さらにマラソン大会だけではなく、多数の競技者が参加する距離スキー等の各種の競技にも同様に適用することができるし、ゴールだけで無く通過時間が記録されその動画があれば、どの地点でも参加者個別の画像を作成し再生できる。
【図面の簡単な説明】
【０００８】
【図１】はこのシステムとそれを運用する全体図である
【符号の説明】
【０００９】１  無線チップを所持する競技者
２  ゴール地点で無線チップからチップデータを受信
３  ゴール状況をカメラで撮影
４  撮影された動画と通過時間データとで特定の競技者の動画を計算して作成する装置
５  取り出した動画を競技者のゼッケンをキーとして保管する装置
６  撮影された動画と通過時間データとで特定の競技者の動画を計算して作成する補助装置
７  インターネットからゼッケンをキーとしての配信装置
８  インターネットから要求する携帯電話
９  インターネットから要求するパソコン
【手続補正書】
【提出日】平成20年9月4日(2008.9.4)
【手続補正１】
【補正対象書類名】実用新案登録請求の範囲
【補正対象項目名】全文
【補正方法】変更
【補正の内容】
【実用新案登録請求の範囲】
【請求項１】
マラソンの競技者が、ゴール地点を通過するシーンをビデオカメラやデジタルカメラで複数の競技者を連続して撮影した動画から、特定の競技者が通過する動画が撮影されている場所を特定し、その撮影されている部分を必要な部分だけ取り出し参加者個別の動画とする特定動画配信システム。
【手続補正２】
【補正対象書類名】明細書
【補正対象項目名】全文
【補正方法】変更
【補正の内容】
【考案の詳細な説明】
【技術分野】
【０００１】  本考案は、マラソン大会の様に複数の競技者が参加する競技会等において、参加者個別のゴールシーンを特定し再生表示するものである。
【背景技術】
【０００２】  マラソン大会のような複数の競技者がゴールへ到着する競技においては、ゴールゲートに設けた映像記録装置で競技者全員のゴールシーンを記録したり、あるいは全員のゴール到着時の写真を撮影し印刷したりしている。
【考案の開示】
【考案が解決しようとする課題】
【０００３】  マラソン大会の競技会の場合、全員のゴール状況をビデオカメラやデジタルカメラで撮影記録しているが、従来のものは撮影記録された複数の競技者のゴールシーンであり、特定の競技者の撮影されている部分を必要な時間だけ取り出し参加者個別の動画に成っていなかった。
【課題を解決するための手段】
【０００４】  本考案は、図１に示すように連続して撮影した動画と、競技者が所持する無線チップにより取得する通過時間データを使い、撮影された動画の最初の時間と競技者が所持する無線チップにより取得した通過時間データから計算をして、連続して撮影された複数の競技者が撮影されている動画の中から特定の競技者のゴールシーンを、必要な時間だけ取り出し参加者個別の動画とする事で解決した。
【考案の効果】
【０００５】  以上説明したように、本考案によりマラソン大会の競技会において、特定の競技者がゴールを通過したときの動画を、連続して撮影された複数の競技者が撮影されている動画の中から、参加者個別の動画を取り出すことで、その取り出した参加者全員の動画の中から、競技者が所持する無線チップにより取得する通過時間データと共に取得するゼッケン番号を使いネットワーク上の再生装置もしくわインターネット上の再生装置から、ゼッケン番号もしくわ氏名を検索キーとして参加者個別の動画を再生表示する事が出来る様になる。また、ゴールだけで無く特定の地点においても同じように再生表示する事も出来る。
結果として競技者は、競技者に付与されたゼッケンもしくわ氏名をキーとして動画を抽出再生表示できるので、参加した競技者は自分のゴールシーンをパソコンや携帯電で見ることができるし、競技場に来られない家族や知人もパソコンや携帯電で見ることができる。
【考案を実施するための最良の形態】
【０００６】図１は本考案の実施例である。参加者全員のゴール通過時の時間データを所持した無線チップにより取得し、参加者全員のゴール動画が撮影されていれば、本考案は参加者個人個人全員のゴール動画を再生できる。
【実施例】
【０００７】  以上説明したように、本考案によりマラソン大会の競技会において、ゴールを通過したときの動画を、競技者に付与されたゼッケンもしくわ氏名をキーとして参加者個別の動画を再生表示できるので、参加した競技者は自分のゴールシーンをパソコンや携帯電で見ることができるし、競技場に来られない家族や知人もパソコンや携帯電話で見ることができる。さらにマラソン大会だけではなく、多数の競技者が参加する距離スキー等の各種の競技にも同様に適用することができるし、ゴールだけで無く通過時間が記録されその動画があれば、どの地点でも参加者個別の画像を作成し再生できる。
【図面の簡単な説明】
【０００８】
【図１】はこのシステムとそれを運用する全体図である
【符号の説明】
【０００９】１  無線チップを所持する競技者
２  ゴール地点で無線チップからチップデータを受信
３  ゴール状況をカメラで撮影
４  撮影された動画と通過時間データとで特定の競技者の動画を計算して作成する装置
５  取り出した動画を競技者のゼッケンをキーとして保管する装置
６  撮影された動画と通過時間データとで特定の競技者の動画を計算して取り出す補助装    置
７  インターネットからゼッケンをキーとしての配信装置
８  インターネットから要求する携帯電話
９  インターネットから要求するパソコン